(57)【特許請求の範囲】
【請求項１】
モバイルリレーノードＭＲが複数のドナー基地局ＤｅＮＢの間で移動する場合、ソースＤｅＮＢがターゲットＤｅＮＢに送信するメッセージには、前記ＭＲのＵｎサブフレーム配置情報が載せられることを含むＵｎサブフレーム配置方法。
【請求項２】
ソースＤｅＮＢがターゲットＤｅＮＢに送信するメッセージにはＭＲのＵｎサブフレーム配置情報が載せられることは、
前記ソースＤｅＮＢが、現在ＭＲが切替すべきと判定する場合、前記ソースＤｅＮＢが現在ＭＲのために適切なターゲットＤｅＮＢを選択し、前記ターゲットＤｅＮＢに対しＵｎサブフレーム配置情報が載せられる切替要求を送信することを含む請求項１に記載の方法。
【請求項３】
ソースＤｅＮＢがターゲットＤｅＮＢに送信するメッセージにはＭＲのＵｎサブフレーム配置情報が載せられることは、
前記ターゲットＤｅＮＢがＭＲの通過する時しか動作しない場合、前記ソースＤｅＮＢが前記ターゲットＤｅＮＢに対して、前記ソースＤｅＮＢにおける少なくとも１つのＭＲのＵｎサブフレーム配置情報が載せられるセルウェイクアップメッセージを送信することを含む請求項１に記載の方法。
【請求項４】
ソースＤｅＮＢがターゲットＤｅＮＢに送信するメッセージにはＭＲのＵｎサブフレーム配置情報が載せられることは、
ソースＤｅＮＢとターゲットＤｅＮＢとの間に、Ｘ２又はＳ１インターフェースを確立する場合、Ｘ２又はＳ１インターフェース確立要求メッセージ及び/又はＸ２或いはＳ１インターフェース確立応答メッセージに、前記ソースＤｅＮＢ又は前記ターゲットＤｅＮＢにおける少なくとも１つのＭＲのＵｎサブフレーム配置情報が載せられることを含む請求項１に記載の方法。
【請求項５】
ソースＤｅＮＢがターゲットＤｅＮＢに送信するメッセージにはＭＲのＵｎサブフレーム配置情報が載せられることは、
前記ソースＤｅＮＢにおいてサービスする少なくとも１つのＭＲのＵｎサブフレーム配置情報又はセル配置情報に変更がある場合、前記ソースＤｅＮＢが前記ターゲットＤｅＮＢに対して、前記ソースＤｅＮＢにおける少なくとも１つのＭＲのＵｎサブフレーム配置情報が載せられる基地局配置更新メッセージを送信することを含む請求項１に記載の方法。
【請求項６】
セルウェイクアップメッセージ又はインターフェース確立要求メッセージ、又はインターフェース確立応答メッセージ、又は基地局配置更新メッセージには、ＭＲの機器名、及び/又はＭＲの国際ユーザ識別コードＩＭＳＩ情報、及び/又はＭＲのセルグローバルアイデンティティＥＣＧＩメッセージを含むＭＲの唯一識別情報が載せられることを含む請求項３乃至５の何れか一項に記載の方法。
【請求項７】
前記メッセージ又は前記切替要求メッセージ又は前記セルウェイクアップメッセージ又は前記基地局配置更新メッセージは、Ｘ２インターフェース又はＳ１インターフェースを介し送信される請求項１、２、３、５の何れか一項に記載の方法。
【請求項８】
ソースＤｅＮＢがターゲットＤｅＮＢにメッセージを送信してから、前記方法は、
前記ターゲットＤｅＮＢが前記ソースＤｅＮＢからのメッセージを受信してから、前記メッセージに載せられるＵｎサブフレーム配置情報により現在ＭＲに対して対応する前記現在ＭＲのＵｎサブフレーム配置情報を配布することをさらに含む請求項１乃至７の何れか一項に記載の方法。
【請求項９】
モバイルリレーノードＭＲが複数のドナー基地局ＤｅＮＢの間で移動する場合、ターゲットＤｅＮＢに対して、ＭＲのＵｎサブフレーム配置情報が載せられるメッセージを送信する配置モジュールを含むＵｎサブフレーム配置装置。
【請求項１０】
前記配置モジュールは、前記ソースＤｅＮＢが、現在ＭＲが切替すべきと判定する場合、現在ＭＲのために適切なターゲットＤｅＮＢを選択し、前記ターゲットＤｅＮＢに対しＵｎサブフレーム配置情報が載せられる切替要求メッセージを送信する請求項９に記載の装置。
【請求項１１】
前記配置モジュールは、前記ターゲットＤｅＮＢがＭＲの通過する時しか動作しない場合、前記ターゲットＤｅＮＢに対して、前記ソースＤｅＮＢにおける少なくとも１つのＭＲのＵｎサブフレーム配置情報が載せられるセルウェイクアップメッセージを送信する請求項９に記載の装置。
【請求項１２】
前記配置モジュールは、ソースＤｅＮＢとターゲットＤｅＮＢとの間に、Ｘ２又はＳ１インターフェースを確立する場合、Ｘ２又はＳ１インターフェース確立要求メッセージ及び/又はＸ２或いはＳ１インターフェース確立応答メッセージに、前記ソースＤｅＮＢ又は前記ターゲットＤｅＮＢにおける少なくとも１つのＭＲのＵｎサブフレーム配置情報が載せられる請求項９に記載の装置。
【請求項１３】
前記配置モジュールは、前記ソースＤｅＮＢにおいてサービスする少なくとも１つのＭＲのＵｎサブフレーム配置情報又はセル配置情報が変更がある場合、前記ソースＤｅＮＢが前記ターゲットＤｅＮＢに対して、前記ソースＤｅＮＢにおける少なくとも１つのＭＲのＵｎサブフレーム配置情報が載せられる基地局配置更新メッセージを送信する請求項９に記載の装置。
【請求項１４】
前記配置モジュールは、さらに、セルウェイクアップメッセージ又はインターフェース確立要求メッセージ、又はインターフェース確立応答メッセージ、又は基地局配置更新メッセージには、ＭＲの機器名、及び/又はＭＲの国際ユーザ識別コードＩＭＳＩ情報、及び/又はＭＲのセルグローバルアイデンティティＥＣＧＩメッセージを含むＭＲの唯一識別情報が配置される請求項１１乃至１３の何れか一項に記載の装置。
【請求項１５】
前記装置は、
前記ターゲットＤｅＮＢが前記ソースＤｅＮＢからのメッセージを受信してから、前記メッセージに載せられるＵｎサブフレーム配置情報により現在ＭＲに対して対応する前記現在ＭＲのＵｎサブフレーム配置情報を配布する配布モジュールことをさらに含む請求項９乃至１４の何れか一項に記載の装置。
【発明の詳細な説明】
【技術分野】
【０００１】
本発明は通信分野に関し、具体的には、Ｕｎサブフレームの配置方法及び装置に関する。
【背景技術】
【０００２】
第３世代移動通信システムの通信分野における競争力を保つために、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰと略称）基準グループは、進化したパケットシステム（Ｅｖｏｌｖｅｄ  Ｐａｃｋｅｔ  Ｓｙｓｔｅｍ、ＥＰＳと略称）の研究に力を入れている。ＥＰＳシステム全体は、進化したユニバーサル陸地無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ-ＵＴＲＡＮと略称）と進化したパケットコアネットワーク（Ｅｖｏｌｖｅｄ  Ｐａｃｋｅｔ  Ｃｏｒｅ、ＥＰＣと略称）との２つの部分がある。当該システムのＥＰＣは、グローバル移動通信システム（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ(登録商標)と略称）/拡張データレートＧＳＭ(登録商標)進化技術（Ｅｎｈａｎｃｅｄ  Ｄａｔａ  Ｒａｔｅ  ｆｏｒ  ＧＳＭ(登録商標)  Ｅｖｏｌｕｔｉｏｎ、ＥＤＧＥと略称）無線アクセスネットワーク（ＧＳＭ(登録商標)  ＥＤＧＥ  ｒａｄｉｏ  ａｃｃｅｓｓ  ｎｅｔｗｏｒｋ、ＧＥＲＡＮと略称）とユニバーサル陸地無線アクセスネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、ＵＴＲＡＮと略称）からのユーザのアクセスをサポートすることができる。
【０００３】
ＥＰＣパネルコアネットワークにおいて、ホーム加入者データサーバー（Ｈｏｍｅ  Ｓｕｂｓｃｒｉｂｅｒ  Ｓｅｒｖｅｒ、ＨＳＳと略称）、移動性管理ユニット（Ｍｏｂｉｌｉｔｙ  Ｍａｎａｇｅｍｅｎｔ  Ｅｎｔｉｔｙ、ＭＭＥと略称）、サーバゲートウェイ（Ｓｅｒｖｉｎｇ  Ｇａｔｅｗａｙ、Ｓ-ＧＷと略称）、パケットデータネットワークゲートウェイ（ＰＤＮ  Ｇａｔｅｗａｙ、Ｐ-ＧＷと略称）、サービスＧＰＲＳサポートノード（Ｓｅｒｖｉｎｇ  ＧＰＲＳ  Ｓｕｐｐｏｒｔ  Ｎｏｄｅ、ＳＧＳＮと略称）、及びポリシーと課金ルール機能エンティティ（Ｐｏｌｉｃｙ  ａｎｄ  Ｃｈａｒｇｉｎｇ  Ｅｎｆｏｒｃｅｍｅｎｔ  Ｆｕｎｃｔｉｏｎ、ＰＣＲＦと略称）を含み、その中に、
ＨＳＳはユーザ契約データを永久に記憶する所で、ユーザの契約したホームネットワークに位置するものであり、
ＭＭＥは現在ネットワークにおいてユーザ契約データを保存する所で、端末からネットワークの非アクセス層（Ｎｏｎ-Ａｃｃｅｓｓ  Ｓｔｒａｔｕｍ、ＮＡＳと略称）へのシグナリング管理、ユーザアイドルモードにおけるストーカとペーシング管理機能及び積載管理を担当するもので、
Ｓ-ＧＷはコアネットワークから無線システムへのゲートウェイで、端末からコアネットワークのユーザプレーンの積載、端末アイドルモードにおけるデータキャッシュ、ネットワーク側のサービス要求を呼び出す機能、法的盗聴、及びパケットデータルーティングと転送機能を果たすものであり、
Ｐ-ＧＷは進化したパケットシステム（Ｅｖｏｌｖｅｄ  Ｐａｃｋｅｔ  Ｓｙｓｔｅｍ、ＥＰＳと略称）と当該システムの外部ネットワークのゲートウェイで、端末のＩＰアドレスの割当て、課金機能、パケットフィルタ、ポリシー応用などの機能を果たすもので、
ＳＧＳＮはＧＥＲＡＮとＵＴＲＡＮユーザアクセスＥＰＣネットワークのサービスサポートスポットで、ＭＭＥと類似する機能を有し、ユーザの一更新、ペーシング管理及び積載管理などの機能を果たすもので、
ＰＣＲＦはＰＣＥＦにポリシー制御と課金ルールの提供を担当するものである。
【０００４】
無線カバレッジ範囲を拡大する、または一時的に無線提供アクセスユーザーの能力を高めるために、リレー（Ｒｅｌａｙ）ノードの概念が導入される場合もある。当該ネットワークのアーキテクチャは以下のネットワークエレメントを含む。
【０００５】
リレーノード（Ｒｅｌａｙ  Ｎｏｄｅ、ＲＮと略称）は、ＵＥとリレーノードとの２つの機能を含む。ＲＮは、ＵＥアクセスネットワークとして積載などの関連操作を確立するとともに、ｅＮＢとしてＵＥにアクセスを提供する。
【０００６】
ドナー基地局（Ｄｏｎｏｒ  ｅＮｏｄｅＢ、ＤｅＮＢと略称）はＲＮに無線アクセスを提供し、ＲＮ-ＵＥの無線リソース制御（Ｒａｄｉｏ  Ｒｅｓｏｕｒｃｅ  Ｃｏｎｔｒｏｌ、ＲＲＣと略称）シグナリングを終了させ、ＲＮ-ｅＮＢのＳＩＡＰシグナリング及びＸ２シグナリングを終了させている。また、ＲＮ-ＵＥのＳＧＷとＰＧＷが内蔵されている。
【０００７】
リレーノードのウェブマスター（Ｒｅｌａｙ  Ｎｏｄｅ  Ｏｐｅｒａｔｏｒ  ａｎｄ  Ｍａｎａｇｅｍｅｎｔ、ＲＮＯＡＭと略称）は、ＲＮがその中から必要となる接続情報を取得することに用いられる。
【０００８】
オペレーターが当該アーキテクチャを配置する主な目的は、例えば、辺鄙な低開発地域、又は突発的な大型会議や試合などのような有線接続を配置しにくい場所で、リレーノードを配置することでカバレッジ範囲を拡大することである。このような場合には、リレーノードの位置は通常固定されたものである。しかし、リレーノードの応用に伴い、オペレーターたちはこの技術をより幅広い場面に適用するように検討し初めている。例えば、高速鉄道において、電車がハイスピードで移動するため、電車の通過する場所には有線通信施設を大量に配置しなければならなく、オペレーターのコストを大いに増加しているが、リレーノードとドナー基地局との間の無線リンクはちょうど当該コストを低減することができるので、オペレーターに好まれている。このような装置はモバイルリレー（Ｍｏｂｉｌｅ  Ｒｅｌａｙ、ＭＲと略称）という。図１は、関連技術に係わるモバイルリレーの配置する場面を示す図であり、図１に示すように、ハイスピードで移動する電車１０８には、ＭＲ１０４が配置され、電車１０８に乗るユーザの持っているユーザ機器ＵＥ１０６がＭＲ１０４を介し、ＤｅＮＢ１０２と通信する。
【０００９】
ＲＮは自己干渉を回避するために、通常の場合、同一周波数帯域で信号を受送信することができないので、ＲＮのＵｎサブフレームは、端末に信号を送信する制御部分と、基地局からの信号を受信するデータ部分との２つの部分を含む。従って、ＵｎサブフレームはＵｎポートとＵｕポートとの間で伝送することになる。時間分割多重の方式で動作する周波数帯域におけるリレーｉｎｂａｎｄ  Ｒｅｌａｙについて、Ｕｎポートのサブフレームに対して適宜配置しないと、ＤｅＮＢとＲＮが正常に動作することができない。現在、ＤｅＮＢはＲＲＣメッセージによりＵｎサブフレームの配置をアクティブ化する。また、ＤｅＮＢはオペレーションとメンテナンス（Ｏｐｅｒａｔｉｏｎ＆Ｍａｉｎｔｅｎａｎｃｅ、Ｏ＆Ｍと略称）からデフォルトＵｎサブフレーム配置集合を取得し、ＤｅＮＢの把握しているＵｎ又はＵｕインターフェースリソースにより、適切なＵｎサブフレーム配置を選択する。しかし、モバイルリレーノードにおいて、複数のドナー基地局の間で移動する場合、如何にして有効で正確なＵｎサブフレーム配置情報を素早く取得できるかは解決すべき課題となる。
【００１０】
関連技術において、モバイルリレーノードが複数のドナー基地局間で移動する場合、有効で正確なＵｎサブフレーム配置情報を素早く取得することができないという課題に対して、今まで効果的なソリューションが提出されていない。
【発明の概要】
【発明が解決しようとする課題】
【００１１】
本発明は、少なくとも上記課題を解決するために、Ｕｎサブフレームの配置方法及び装置を提供する。
【課題を解決するための手段】
【００１２】
本発明の実施例の一方面によると、モバイルリレーノードＭＲが複数のドナー基地局ＤｅＮＢの間で移動する場合、ソースＤｅＮＢがターゲットＤｅＮＢに送信するメッセージには、前記ＭＲのＵｎサブフレーム配置情報が載せられることを含むＵｎサブフレーム配置方法を提供する。
【００１３】
ソースＤｅＮＢがターゲットＤｅＮＢに送信するメッセージにはＭＲのＵｎサブフレーム配置情報が載せられることは、前記ソースＤｅＮＢが、現在ＭＲが切替すべきと判定する場合、前記ソースＤｅＮＢが現在ＭＲのために適切なターゲットＤｅＮＢを選択し、前記ターゲットＤｅＮＢに対しＵｎサブフレーム配置情報が載せられる切替要求を送信することを含むことが好ましい。
【００１４】
ソースＤｅＮＢがターゲットＤｅＮＢに送信するメッセージにはＭＲのＵｎサブフレーム配置情報が載せられることは、前記ターゲットＤｅＮＢがＭＲの通過する時しか動作しない場合、前記ソースＤｅＮＢが前記ターゲットＤｅＮＢに対して、前記ソースＤｅＮＢにおける少なくとも１つのＭＲのＵｎサブフレーム配置情報が載せられるセルウェイクアップメッセージを送信することを含むことが好ましい。
【００１５】
ソースＤｅＮＢがターゲットＤｅＮＢに送信するメッセージにはＭＲのＵｎサブフレーム配置情報が載せられることは、ソースＤｅＮＢとターゲットＤｅＮＢとの間に、Ｘ２又はＳ１インターフェースを確立する場合、Ｘ２又はＳ１インターフェース確立要求メッセージ及び/又はＸ２或いはＳ１インターフェース確立応答メッセージに、前記ソースＤｅＮＢ又は前記ターゲットＤｅＮＢにおける少なくとも１つのＭＲのＵｎサブフレーム配置情報が載せられることを含むことが好ましい。
【００１６】
ソースＤｅＮＢがターゲットＤｅＮＢに送信するメッセージにはＭＲのＵｎサブフレーム配置情報が載せられることは、前記ソースＤｅＮＢにおいてサービスする少なくとも１つのＭＲのＵｎサブフレーム配置情報又はセル配置情報が変更がある場合、前記ソースＤｅＮＢが前記ターゲットＤｅＮＢに対して、前記ソースＤｅＮＢにおける少なくとも１つのＭＲのＵｎサブフレーム配置情報が載せられる基地局配置更新メッセージを送信することを含むことが好ましい。
【００１７】
前記セルウェイクアップメッセージ又は前記インターフェース確立要求メッセージ、又は前記インターフェース確立応答メッセージ、又は前記基地局配置更新メッセージには、ＭＲの機器名、及び/又はＭＲの国際ユーザ識別コードＩＭＳＩ情報、及び/又はＭＲのセルグローバルアイデンティティメッセージＥＣＧＩを含むＭＲの唯一識別情報が載せられることを含むことが好ましい。
【００１８】
前記メッセージ又は前記切替要求メッセージ又は前記セルウェイクアップメッセージ又は前記基地局配置更新メッセージは、Ｘ２インターフェース又はＳ１インターフェースを介し送信されることが好ましい。
【００１９】
ソースＤｅＮＢがターゲットＤｅＮＢにメッセージを送信してから、前記方法は、前記ターゲットＤｅＮＢが前記ソースＤｅＮＢからのメッセージを受信してから、前記メッセージに載せられるＵｎサブフレーム配置情報により現在ＭＲに対して対応する前記現在ＭＲのＵｎサブフレーム配置情報を配布することをさらに含むことが好ましい。
【００２０】
本発明の実施例のもう一方面によると、モバイルリレーノードＭＲが複数のドナー基地局ＤｅＮＢの間で移動する場合、ターゲットＤｅＮＢに対して、ＭＲのＵｎサブフレーム配置情報が載せられるメッセージを送信する配置モジュールを含むＵｎサブフレーム配置装置を提供する。
【００２１】
前記配置モジュールは、前記ソースＤｅＮＢが、現在ＭＲが切替すべきと判定する場合、現在ＭＲのために適切なターゲットＤｅＮＢを選択し、前記ターゲットＤｅＮＢに対しＵｎサブフレーム配置情報が載せられる切替要求メッセージを送信することが好ましい。
【００２２】
前記配置モジュールは、前記ターゲットＤｅＮＢがＭＲの通過する時しか動作しない場合、前記ターゲットＤｅＮＢに対して、前記ソースＤｅＮＢにおける少なくとも１つのＭＲのＵｎサブフレーム配置情報が載せられるセルウェイクアップメッセージを送信することが好ましい。
【００２３】
前記配置モジュールは、ソースＤｅＮＢとターゲットＤｅＮＢとの間に、Ｘ２又はＳ１インターフェースを確立する場合、Ｘ２又はＳ１インターフェース確立要求メッセージ及び/又はＸ２或いはＳ１インターフェース確立応答メッセージに、前記ソースＤｅＮＢ又は前記ターゲットＤｅＮＢにおける少なくとも１つのＭＲのＵｎサブフレーム配置情報が載せられることが好ましい。
【００２４】
前記配置モジュールは、前記ソースＤｅＮＢにおいてサービスする少なくとも１つのＭＲのＵｎサブフレーム配置情報又はセル配置情報が変更がある場合、前記ソースＤｅＮＢが前記ターゲットＤｅＮＢに対して、前記ソースＤｅＮＢにおける少なくとも１つのＭＲのＵｎサブフレーム配置情報が載せられる基地局配置更新メッセージを送信することが好ましい。
【００２５】
前記配置モジュールは、前記セルウェイクアップメッセージ又は前記インターフェース確立要求メッセージ、又は前記インターフェース確立応答メッセージ、又は前記基地局配置更新メッセージには、ＭＲの機器名、及び/又はＭＲの国際ユーザ識別コードＩＭＳＩ情報、及び/又はＭＲのセルグローバルアイデンティティＥＣＧＩメッセージを含むＭＲの唯一識別情報が載せられることが好ましい。
【００２６】
前記装置は、前記ターゲットＤｅＮＢが前記ソースＤｅＮＢからのメッセージを受信してから、前記メッセージに載せられるＵｎサブフレーム配置情報により現在ＭＲに対して対応する前記現在ＭＲのＵｎサブフレーム配置情報を配布する配布モジュールことをさらに含むことが好ましい。
【００２７】
本発明によると、モバイルリレーノードＭＲは複数のドナー基地局の間で移動する場合、ソースＤｅＮＢがターゲットＤｅＮＢに送信するメッセージには、前記ＭＲのＵｎサブフレーム配置情報が載せられることにより、ＭＲが複数のＤｅＮＢの間で移動する場合、ターゲットＤｅＮＢが有効で正確なＵｎサブフレーム配置情報を素早く取得することができないことが解決され、有効で正確なＵｎサブフレーム配置情報を素早く取得することができる効果を達成できる。
以下に記載の図面は、本発明をさらに理解するために提供され、本願の一部を構成し、本発明の例示的な実施例及びその説明は本発明を解釈するものであり、本発明を限定するものではない。
【図面の簡単な説明】
【００２８】
【図１】関連技術に係わるモバイルリレーの配置場面を示す図である。
【図２】本発明の実施例に係わるＵｎサブフレームの配置方法のフローチャート図である。
【図３】本発明の実施例に係わるサブフレームの配置装置の構造ブロック図である。
【図４】本発明の好適な実施例に係わるＵｎサブフレームの配置方法のフローチャート図一である。
【図５】本発明の好適な実施例に係わるＵｎサブフレームの配置方法のフローチャート図二である。
【図６】本発明の実施例に係わるＵｎサブフレームの配置方法のフローチャート図三である。
【図７】本発明の実施例に係わるＵｎサブフレームの配置方法のフローチャート図四である。
【発明を実施するための形態】
【００２９】
以下、図面を参照しながら、実施例を結合して、本発明の実施例を詳しく説明する。なお、本願の実施例および実施例の特徴は、衝突がない場合には、互いに組み合わせることが可能である。
【００３０】
実施例一
本発明の実施例はＵｎサブフレームの配置方法を提供する。図２は、本発明の実施例に係わるＵｎサブフレームの配置方法のフローチャート図である。図２に示すように、当該フローチャートは以下のステップを含む。
【００３１】
ステップＳ２０２、モバイルリレーノードＭＲが複数のドナー基地局ＤｅＮＢの間で移動する。
ステップＳ２０４、ソースＤｅＮＢがターゲットＤｅＮＢに送信するメッセージには、前記ＭＲのＵｎサブフレーム配置情報が載せられる。
【００３２】
上記ステップにより、関連技術において、ソースＤｅＮＢがターゲットＤｅＮＢにメッセージを送信するとき、メッセージにはＭＲのＵｎサブフレーム配置情報が載せられないという方式を変更し、ＭＲが複数のＤｅＮＢの間で移動する時に、有効で正確なＵｎサブフレーム配置情報を素早く取得することができないという課題が解決され、有効で正確なＵｎサブフレーム配置情報を素早く取得することができるという効果がある。
【００３３】
ソースＤｅＮＢがターゲットＤｅＮＢに送信するメッセージには、前記ＭＲのＵｎサブフレーム配置情報が載せられることは様々な方式を含むが、以下のような四種類の方式の何れかを採用することがこの好ましい。
【００３４】
前記ソースＤｅＮＢが、現在ＭＲが切替すべきと判定する場合、ソースＤｅＮＢが現在ＭＲのために適切なターゲットＤｅＮＢを選択し、前記ターゲットＤｅＮＢに対しＵｎサブフレーム配置情報が載せられる切替要求を送信する。
【００３５】
ターゲットＤｅＮＢがＭＲの通過する時しか動作しない場合、ソースＤｅＮＢがターゲットＤｅＮＢに対して、ソースＤｅＮＢにおける少なくとも１つのＭＲのＵｎサブフレーム配置情報が載せられるセルウェイクアップメッセージを送信する。
【００３６】
ソースＤｅＮＢとターゲットＤｅＮＢとの間に、Ｘ２又はＳ１インターフェースを確立する場合、Ｘ２又はＳ１インターフェース確立要求メッセージ及び/又はＸ２或いはＳ１インターフェース確立応答メッセージに、ソースＤｅＮＢ又はターゲットＤｅＮＢにおける少なくとも１つのＭＲのＵｎサブフレーム配置情報が載せられる。
【００３７】
ソースＤｅＮＢにおいてサービスする少なくとも１つのＭＲのＵｎサブフレーム配置情報又はセル配置情報が変更がある場合、ソースＤｅＮＢがターゲットＤｅＮＢに対して、ソースＤｅＮＢにおける少なくとも１つのＭＲのＵｎサブフレーム配置情報が載せられる基地局配置更新メッセージを送信する。
【００３８】
上記四種類の好適な方式により、ソースＤｅＮＢがターゲットＤｅＮＢに切替要求メッセージ又はセルウェイクアップメッセージ又は確立要求メッセージ又は確立応答メッセージ、又は基地局配置更新メッセージには、ＭＲのＵｎサブフレーム配置情報を載せることができるため、ターゲットＤｅＮＢが有効で正確なＭＲのＵｎサブフレーム配置情報を素早く取得することができるようになる。
【００３９】
上記四種類の方式において、ＭＲのＵｎサブフレーム配置情報を載せる他に、ＭＲの機器名、及び/又はＭＲの国際ユーザ識別コードＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ、ＩＭＳＩと略称）情報、及び/又はＭＲのセルグローバルアイデンティティＥＣＧＩ（ＥＵＴＲＡＮ  Ｃｅｌｌ  Ｇｌｏｂａｌ  Ｉｄｅｎｔｉｔｙ、ＥＣＧＩと略称）メッセージを含むＭＲの唯一識別情報を載せてもよい。ＭＲの唯一識別情報を載せることで、ターゲットＤｅＮＢが、ＭＲの唯一識別情報により、当該ＭＲのＵｎサブフレーム配置情報を当該ＭＲに送信することができる。
【００４０】
切替要求メッセージ又はセルウェイクアップメッセージは様々なインターフェースにより送信することができるが、Ｘ２インターフェース又はＳ１インターフェースにより送信することが好ましい。
【００４１】
ターゲットＤｅＮＢがソースＤｅＮＢからのメッセージを受信してから、メッセージに載せられるＵｎサブフレーム配置情報により現在ＭＲに対して対応する前記現在ＭＲのＵｎサブフレーム配置情報を配布する。上記ステップにより、有効で正確なＵｎサブフレーム配置情報を素早く取得することができ、ＭＲの切替の最適化及びネットワーク機能の向上が実現されている。
【００４２】
実施例二
本発明の実施例は、上記実施例及び好適な実施形態を実現するためにＵｎサブフレームの配置装置を提供する。すでに説明したことは繰り返して説明しないことにする。以下に記載する術語「モジュール」は所定の機能を実現できるソフトウェア及び/又はハードウェアの組合せである。以下の実施例に説明する装置は、ソフトウェアにより実現されることが好ましいが、ハードウェア、又はソフトウェアとハードウェアとの組合せによる実現も可能で、構想されるものである。
【００４３】
図３は本発明の実施例に係わるＵｎサブフレーム配置装置の構造ブロック図である。図３に示すように、当該装置は配置モジュール３０２を含む。
【００４４】
配置モジュール３０２は、モバイルリレーノードＭＲが複数のドナー基地局ＤｅＮＢの間で移動する場合、ターゲットＤｅＮＢに対して、ＭＲのＵｎサブフレーム配置情報が載せられるメッセージを送信する。
【００４５】
配置モジュール３０２は、ソースＤｅＮＢが、現在ＭＲが切替すべきと判定する場合、現在ＭＲのために適切なターゲットＤｅＮＢを選択し、ターゲットＤｅＮＢに対しＵｎサブフレーム配置情報が載せられる切替要求メッセージを送信することが好ましい。
【００４６】
配置モジュール３０２は、ターゲットＤｅＮＢがＭＲの通過する時しか動作しない場合、ターゲットＤｅＮＢに対して、ソースＤｅＮＢにおける少なくとも１つのＭＲのＵｎサブフレーム配置情報が載せられるセルウェイクアップメッセージを送信することが好ましい。
【００４７】
配置モジュール３０２は、ソースＤｅＮＢとターゲットＤｅＮＢとの間に、Ｘ２又はＳ１インターフェースを確立する場合、Ｘ２又はＳ１インターフェース確立要求メッセージ及び/又はＸ２或いはＳ１インターフェース確立応答メッセージに、ソースＤｅＮＢ又はターゲットＤｅＮＢにおける少なくとも１つのＭＲのＵｎサブフレーム配置情報が載せられることが好ましい。
【００４８】
配置モジュール３０２は、ソースＤｅＮＢにおいてサービスする少なくとも１つのＭＲのＵｎサブフレーム配置情報又はセル配置情報に変更がある場合、ターゲットＤｅＮＢに対して、ソースＤｅＮＢにおける少なくとも１つのＭＲのＵｎサブフレーム配置情報が載せられる基地局配置更新メッセージを送信することが好ましい。
【００４９】
配置モジュール３０２は、セルウェイクアップメッセージ又はインターフェース確立要求メッセージ、又はインターフェース確立応答メッセージ、又は基地局配置更新メッセージには、ＭＲの機器名、及び/又はＭＲの国際ユーザ識別コードＩＭＳＩ情報、及び/又はＭＲのセルグローバルアイデンティティＥＣＧＩメッセージを含むＭＲの唯一識別情報が載せられることが好ましい。
【００５０】
当該装置は、ターゲットＤｅＮＢがソースＤｅＮＢからのメッセージを受信してから、メッセージに載せられるＵｎサブフレーム配置情報により現在ＭＲに対して対応する前記現在ＭＲのＵｎサブフレーム配置情報を配布する配布モジュール３０４ことをさらに含むことが好ましい。
【００５１】
実施例三
図４は本発明の好適な実施例に係わるＵｎサブフレーム配置方法のフローチャート図一である。図４に示すように、当該フローチャートは、以下のようなステップを含む。
【００５２】
ステップＳ４０２、ＵＥがＭＲを介しソースＤｅＮＢと上がり・下りデータを交換する。
ステップＳ４０４、ソースＤｅＮＢがターゲットＤｅＮＢに切替要求メッセージを送信する。
【００５３】
ソースＤｅＮＢは現在ＭＲが切替すべきと判定する場合、ソースＤｅＮＢがＭＲのために適切なターゲットセルを選択し、当該ＭＲの現在のＵｎサブフレーム配置情報が載せられる切替要求メッセージをターゲットＤｅＮＢに送信する。具体的には、ソースＤｅＮＢがターゲットＤｅＮＢに送信する切替要求の透明パケットに含まれる情報は、アクセス層（Ａｃｃｅｓｓ  Ｓｔｒａｔｕｍ、ＡＳと略称）、キー、無線リソースマネジャー（Ｒａｄｉｏ  Ｒｅｓｏｕｒｃｅ  Ｍａｎａｇｅｍｅｎｔ、ＲＲＭと略称）配置情報、及び、ＭＲの現在のＵｎサブフレーム配置情報を含む。ソースＤｅＮＢは現在ＭＲの所在するＤｅＮＢで、ターゲットＤｅＮＢがソースＤｅＮＢに隣接し、且つ現在ＭＲの切替宛先のＤｅＮＢである。
【００５４】
ステップＳ４０６、ターゲットＤｅＮＢはソースＤｅＮＢに切替要求確認メッセージを送信する。
【００５５】
ターゲットＤｅＮＢは切替要求を受信してから、所要のリソースを切り換える準備をして、準備が完了してから、ソースＤｅＮＢに切替要求確認メッセージ（ＨＡＮＤＯＶＥＲ  ＲＥＱＵＥＳＴ  ＡＣＫＮＯＷＬＥＤＧＥ）を送信する。
【００５６】
ステップＳ４０８、ソースＤｅＮＢはＭＲに切替コマンドを送信する。
【００５７】
ソースＤｅＮＢは切替要求確認メッセージを受信してから、エアインターフェースを介し切替コマンドをＭＲに送信する。
【００５８】
ステップＳ４１０、ターゲットＤｅＮＢはＭＲのＵｎサブフレーム配置情報を保持する。
【００５９】
ＭＲがターゲットＤｅＮＢに切替た後で、ＭＲが現在のＵｎサブフレーム配置を利用し続けることができるとともに、ターゲットＤｅＮＢがソースＤｅＮＢからのＭＲのＵｎサブフレーム配置情報を保持し続けることで、ターゲットＤｅＮＢとＭＲとの間のＵｎサブフレーム配置情報の一致性が確保される。
【００６０】
実施例四
ＤｅＮＢローカルで省エネ判定をして、現在セルにおけるＭＲユーザが離れ、且つ他の一般ユーザが他のセルに切替可能な場合、例えばＤｅＮＢが他のマクロセルにカバレッジされている場合、スリープモードに入ることができる。ＭＲの移動は正確な方向性を有するため、一般のユーザとは違っている。現在、ＭＲの切替手順は一般ユーザと同様であるため、切替要求メッセージに履歴セル情報が載せられる。ソースＤｅＮＢがＭＲのＵＥ履歴情報により、当該ＭＲの移動方向を判定し、ＭＲの切替前に、ターゲットＤｅＮＢをウェイクアップする操作を行う。
【００６１】
具体的には、鉄道沿線のＤｅＮＢがＭＲの通過する時しか動作しないとして、ＭＲの現在所在するＤｅＮＢ即ちソースＤｅＮＢは、Ｘ２インターフェースを介し隣接する次のＤｅＮＢ即ちターゲットＤｅＮＢをウェイクアップする場合、Ｕｎサブフレーム配置情報を載せることができる。ソースＤｅＮＢは、ＭＲの機器名、及び/又はＩＭＳＩ情報、及び/又はＭＲのＥＣＧＩメッセージなどのようなＭＲの唯一識別情報及びＭＲのＵｎサブフレーム配置情報を含むセルウェイクアップメッセージによりＵｎサブフレーム配置情報をターゲットＤｅＮＢに伝える。
【００６２】
図５は本発明の好適な実施例に係わるＵｎサブフレーム配置方法のフローチャート図二である。図５に示すように、当該フローチャートは、以下のようなステップを含む。
【００６３】
ステップＳ５０２、ソースＤｅＮＢはターゲットＤｅＮＢにセルウェイクアップメッセージを送信する。
【００６４】
ソースＤｅＮＢは、ターゲットＤｅＮＢに対して、ウェイクアップ待ちの１つ又は複数のセル情報、及びＭＲの機器名、及び/又はＩＭＳＩ情報、及び/又はＭＲのＥＣＧＩメッセージなどのようなＭＲの唯一識別情報、及びＭＲのＵｎサブフレーム配置情報を含むセルウェイクアップメッセージを送信する。
【００６５】
ステップＳ５０４、ターゲットＤｅＮＢは、ソースＤｅＮＢにセルウェイクアップ応答メッセージを送信する。
【００６６】
ターゲットＤｅＮＢがセルウェイクアップメッセージを受信してから、処理が成功した場合、ソースＤｅＮＢにセルウェイクアップ確認メッセージを送信し、ソースＤｅＮＢに、失敗原因が載せられるセルウェイクアップ失敗メッセージを送信する。
【００６７】
実施例五
ソースＤｅＮＢとターゲットＤｅＮＢとの間にＸ２インターフェースが確立される場合、Ｘ２インターフェースの確立要求/応答メッセージにより、ＭＲの機器名、及び/又はＩＭＳＩ情報、及び/又はＭＲのＥＣＧＩメッセージなどのようなＭＲの唯一識別情報、及びＭＲのＵｎサブフレーム配置情報を含むＭＲ関連情報が載せられることができる。
【００６８】
図６は本発明の実施例に係わるＵｎサブフレーム配置方法のフローチャート図である。図６に示すように、当該フローチャートは以下のようなステップを含む。
【００６９】
ステップＳ６０２、ソースＤｅＮＢはターゲットＤｅＮＢに確立要求メッセージを送信する。
【００７０】
ソースＤｅＮＢとターゲットＤｅＮＢがＸ２インターフェースを確立する場合、ソースＤｅＮＢがターゲットＤｅＮＢにＸ２確立要求メッセージを送信する。当該メッセージには、ソースＤｅＮＢにおける全てのサービスセルの情報が含まれるとともに、ＭＲの機器名、及び/又はＩＭＳＩ情報、及び/又はＭＲのＥＣＧＩメッセージなどのようなＭＲの唯一識別情報、及びＭＲのＵｎサブフレーム配置情報を含むＭＲ関連情報が追加されている。
【００７１】
ステップＳ６０４、ターゲットＤｅＮＢはソースＤｅＮＢに確立応答メッセージを送信する。
【００７２】
ターゲットＤｅＮＢがＸ２インターフェース確立要求メッセージを受信してから、確立が成功した場合、ソースＤｅＮＢに、ソースＤｅＮＢにおける全てのサービスセルの情報が含まれるとともに、ＭＲの機器名、及び/又はＩＭＳＩ情報、及び/又はＭＲのＥＣＧＩメッセージなどのようなＭＲの唯一識別情報、及びＭＲのＵｎサブフレーム配置情報を含むＭＲ関連情報が追加されているＸ２確立応答メッセージを送信する。確立が失敗した場合、ターゲットＤｅＮＢがソースＤｅＮＢに、失敗原因が載せられるＸ２確立失敗メッセージを送信する。
【００７３】
実施例六
ソースＤｅＮＢにおけるＭＲが追加又は離れなどのような変更がある場合、ソースＤｅＮＢは、ターゲットＤｅＮＢ２に、ＭＲの機器名、及び/又はＩＭＳＩ情報、及び/又はＭＲのＥＣＧＩメッセージなどのようなＭＲの唯一識別情報、及びＭＲのＵｎサブフレーム配置情報を含む現在ＤｅＮＢにおいてサービスする１つ又は複数のＭＲの情報が載せられる基地局更新メッセージを送信する。
【００７４】
図７は本発明の実施例に係わるＵｎサブフレームの配置方法のフローチャート図四である。図７に示すように、当該フローチャートは以下のようなステップを含む。
【００７５】
ステップＳ７０２、ソースＤｅＮＢはターゲットＤｅＮＢに基地局更新メッセージを送信する。
【００７６】
ソースＤｅＮＢは、サービスセル情報の変更、サービスセルの隣接するセルの情報の変更、ＭＲのＵｎサブフレーム配置情報の変更などのような基地局配置情報の変更がある場合、ソースＤｅＮＢは、ターゲットＤｅＮＢに、ソースＤｅＮＢにおける全てのサービスセルの情報が含まれるとともに、ＭＲの機器名、及び/又はＩＭＳＩ情報、及び/又はＭＲのＥＣＧＩメッセージなどのようなＭＲの唯一識別情報、及びＭＲのＵｎサブフレーム配置情報を含むＭＲ関連情報が追加されている基地局配置更新メッセージを送信する。
【００７７】
ステップＳ７０４、ターゲットＤｅＮＢはソースＤｅＮＢに基地局配置更新応答メッセージを送信する。
【００７８】
ターゲットＤｅＮＢが基地局配置更新メッセージを受信してから、処理が成功した場合、ソースＤｅＮＢに基地局配置更新確認メッセージを送信し、そうでない場合、失敗原因が載せられる基地局配置更新失敗メッセージを送信する。
【００７９】
上記実施例における切替要求メッセージ、切替応答メッセージ、基地局配置更新メッセージ、基地局配置応答メッセージ、セルウェイクアップメッセージ、セルウェイクアップ応答メッセージはＸ２又はＳ１インターフェースを介し送信される。
【００８０】
上記説明から分かるように、本発明の実施例は、ソースＤｅＮＢとターゲットＤｅＮＢとの間のメッセージにＵｎサブフレーム配置情報が載せられることで、ＭＲがターゲットＤｅＮＢに移動してから、ターゲットＤｅＮＢが素早く且つ効果的に現在ＭＲに適切するＵｎサブフレーム配置情報を配布することができ、ＭＲ切替の最適化及びネットワーク性能の向上に有利し、ユーザの満足度を高めることができる。
【００８１】
言うまでもなく、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。或いは、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。
【００８２】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【符号の説明】
【００８３】
１０２  ドナー基地局、ＤｅＮＢ
１０４  モバイルリレー、ＭＲ
１０６  ユーザ機器、ＵＥ
１０８  電車
【図１】
0006347785.tif 000002
【図２】
0006347785.tif 000003
【図３】
0006347785.tif 000004
【図４】
0006347785.tif 000005
【図５】
0006347785.tif 000006
【図６】
0006347785.tif 000007
【図７】
0006347785.tif 000008